(57)【要約】本発明は、Ｘ線画像、より特にはマンモグラフィＸ線画像を処理する画像処理装置に係り、また、対応するＸ線装置、これに対する方法、及びコンピュータプログラム又はコンピュータプログラムプロダクトに係る。画像処理装置において、表示画像は、マーカー及び乳房等の少なくとも２つの空間的に離れた対象を示すＸ線画像から作られる。夫々の対象を示す部分画像は、Ｘ線画像において確定され、部分画像は、表示画面中に配置される。表示画像の寸法は、部分画像を有さない表示画像の部分がＸ線画像の対応する部分より小さいようにされる。
2007516748.tif 000002
【特許請求の範囲】
【請求項１】
少なくとも２つの空間的に離れた対象が表示されるＸ線画像から表示画像を作る画像処理装置であって、
前記対象を示す部分画像は、前記Ｘ線画像において確定され、前記部分画像は、空間的に離れて表示画像中に配置され、
前記表示画像の寸法は、前記部分画像を有さない前記表示画像の部分が前記Ｘ線画像の対応する部分より小さいようにされる、
画像処理装置。
【請求項２】
Ｘ線装置であって：
・  Ｘ線照射を生成するＸ線源と、
・  Ｘ線画像を取得するＸ線像検出器と、
・  少なくとも２つの空間的に離れた対象が表示されるＸ線画像から表示画像を作る画像処理と、
を有し、
前記対象を示す部分画像は、前記Ｘ線画像において確定され、前記部分画像は、空間的に離れて表示画像中に配置され、
前記表示画像の寸法は、前記部分画像を有さない前記表示画像の前記部分が前記Ｘ線画像の対応する部分より小さいようにされる、
Ｘ線装置。
【請求項３】
前記Ｘ線画像が作られる際に、いずれの場合にも前記Ｘ線画像検出器の同一面範囲は、Ｘ線照射に対して露出される、
請求項２記載のＸ線装置。
【請求項４】
前記部分画像は、前記表示画像において最低限の距離の間隔をあけられる、
請求項１記載の画像処理装置、又は、請求項２記載のＸ線装置。
【請求項５】
前記Ｘ線画像は、マンモグラフィＸ線画像である、
請求項１記載の画像処理装置、又は、請求項２記載のＸ線装置。
【請求項６】
示された前記対象のうち１つはマーカーである、
請求項１記載の画像処理装置、又は、請求項２記載のＸ線装置。
【請求項７】
Ｘ線画像から表示画像を作る方法であって：
ａ）  前記Ｘ線画像において、対象を各々示す部分画像を確定する段階と、
ｂ）  空間的に離れて前記表示画像において前記部分画像を配置する段階と、
ｃ）  前記部分画像を有さない前記表示画像の前記部分が前記Ｘ線画像の前記対応する部分より小さいよう、前記表示画面の前記寸法を決定する段階と、
を有する、方法。
【請求項８】
更に：
ｄ）  前記部分画像を有さない前記表示画像の前記部分を、前記部分画像を有さない前記Ｘ線画像の前記部分からの画像情報を有して満たす段階、
を有する、
請求項７記載の方法。
【請求項９】
前記部分画像を確定するよう前記部分画像を有さない前記Ｘ線画像の前記部分の画像値が確定されるセグメント化方法は活用され、前記画像値を有するピクセルを主に有するコヒーレント画像範囲は前記Ｘ線画像中で確定される、
請求項１記載の画像処理装置、又は、請求項２記載のＸ線装置、又は、請求項７記載の方法。
【請求項１０】
請求項７記載の方法を実行する請求項１記載の画像処理装置に対する、コンピュータプログラム。
【発明の詳細な説明】
【技術分野】
【０００１】
本発明は、Ｘ線画像、より特にはマンモグラフィＸ線画像を処理する画像処理装置に係り、また、対応するＸ線装置、これに対する方法、及びコンピュータプログラム又はコンピュータプログラムプロダクトに係る。
【背景技術】
【０００２】
マンモグラフィＸ線装置は、女性の胸部又は乳房を検査するよう使用される。マンモグラフィＸ線画像において、乳房は常に、画像の端部から中心に向かって、即ち中心を外れて示される。画像の残りの部分は、直接放射線を示す。乳房に加えて、所謂マーカーもまたマンモグラフィＸ線画像において示される。該マーカーはＸ線画像に関する情報を有する。既知のマーカーは、Ｘ線を吸収し、Ｘ線画像が撮られる前に、文字及び数の組合せとして乳房に対向する画像の側方で画像の隅部においてＸ線画像検出器に対して適用される。これは、マーカーの画像が乳房の画像に重畳することを防ぐ。しかしながら、小さい乳房の場合、直接放射線を有する比較的大きな画像範囲が、マーカーの画像と乳房の画像との間に示される。
【０００３】
Ｘ線画像検出器を有するＸ線装置の場合では、画像取得に続いて、画像データが第一に電子的形態において存在し、モニタ上へと表示され、要求に応じてフィルム上へと印刷される。印刷に使用されるフィルムの寸法は、取得された画像の寸法に依存する。小さい形式及び大きい形式の２つのフィルムの形式が、現在一般的に使用される。後者は、結像されるべき乳房が小さな形式を有するフィルムに対して大きすぎる際に使用される。Ｘ線装置のユーザは、取得以前にＸ線画像の寸法を定義付けなければならない。乳房を結像するには小さいほうで十分であっても、大きなＸ線画像が選択されることが時々ある。結果として、乳房及びマーカーの画像は大きすぎるフィルム上に印刷され、不必要なコストを招く。モニタ上に表示される際は、乳房は、全体の画像が表示される際に不必要に小さく表示される。観察者が乳房の画像範囲へとズームする場合、マーカーは既に見られ得ない。
【発明の開示】
【発明が解決しようとする課題】
【０００４】
したがって本発明は、これらの問題を除去することを目的とする。
【課題を解決するための手段】
【０００５】
この目的は、請求項１に記載の通り、少なくとも２つの空間的に離れた対象が表示されるＸ線画像から表示画像を作る画像処理装置によって達成される。対象を示す部分画像は、Ｘ線画像中で確定され、該部分画像は、空間的に離れて表示画像中に配置される。表示画像の寸法は、部分画像を有さない表示画像の部分がＸ線画像の対応する部分より小さいようにされる。
【０００６】
本発明の基本的な概念は、本来取得されたＸ線画像を観察者にもはや与えず、例えばフィルム上に印刷され得る又はモニタ上に表示され得る表示画像から作ることである。このために、まず第一に本来取得されたＸ線画像を分析する画像処理装置が活用され、該装置は、例えば乳房及びマーカーを示す。かかる画像処理装置は、例えば、Ｘ線装置において一体化され得るが、Ｘ線装置とは無関係に作動し、ＰＣ又はワークステーション等の後者からＸ線を単に受ける装置でもあり得る。フィルムプリンタ又はモニタ等の視覚化ユニットの一体化もまた、可能である。
【０００７】
画像処理装置は、まず第一に、Ｘ線画像を分析し、乳房及びマーカーを夫々示す部分画像を確定する。マーカーの画像は、Ｘ線画像の取得前にＸ線画像検出器上に置かれたマーカーから引き出され得る。あるいは、しかしながら、画像はまた、Ｘ線装置による取得の直後にＸ線画像へと混合された人為的な電子的に生成されたマーカーを示し得る。
【０００８】
部分画像の確定は、既知の所謂セグメント化方法を用いて実行され得る。これら２つの部分画像は、続いて、例えば表示画像中に共に押され、すぐに互いに対して隣接して置かれ、故に表示画像の画像範囲の寸法は、本来取得されたＸ線画像と比較して低減される。該工程において、観察者に対して重要ではない画像背景又は直接放射線範囲に関する情報のみが、失われる。部分画像は、Ｘ線画像においてと同一の解像度及び同一の数のピクセルを有する夫々の対象を示す一方、表示画像自体は、より小さいか、あるいは、より少ない数のピクセルによってＸ線画像より更に小さい画像範囲を有する。
【０００９】
故に、全ての必要な情報、即ち部分画像を、本来取得されたＸ線画像と比較して寸法において低減された表示画像の画像範囲上で観察者に示すことが可能である。表示画像がモニタ上に表示される場合、表示画像の各ピクセルはモニタ上のピクセルに対応し、完全な表示画像がモニタ上に示され得るがＸ線画像が図示されないことが起き得る。全体のＸ線画像が図示されるべき場合、必ずより小さく示されなければならず、関心対象は観察者に対してもより小さく示される。表示画像が、モニタ上に表示され得る最大の画像より小さい場合、表示画像は拡大して表示されてもよい。また、フィルム上への印刷の場合、本来大きな形式のＸ線画像を小さな形式のフィルム上に、印刷中に画像のスケールを低減することなく印刷することは可能である。
【００１０】
部分画像を有さない画像範囲のより小さな部分に基づいて、表示画像の画像データの量は、Ｘ線画像のそれより小さく、上述された目的を達成することに加えて更に好ましい効果が達成される。その後の電子画像処理に対して、より小さいプロセッサ出力が求められ、かかる画像処理システムは、より早く作動するか、あるいはより低い容量を有して設計され得る。ディスプレイ画像をフィルムプリンタ又はモニタ等の他のシステムに送信する際、本来取得されたＸ線画像と比較してより少ない画像データが送信される必要があり、ここでも時間が節約される。より小さいメモリ空間が、電子画像アーカイブ等において表示画像を格納するよう求められる。
【００１１】
目的は更に、請求項２中に記載される通りＸ線装置によって達成される。該装置は、
・  Ｘ線照射を生成するＸ線源、
・  Ｘ線画像を取得するＸ線画像検出器、及び、
・  少なくとも２つの空間的に離れた対象が表示されるＸ線画像から表示画像を作る画像処理装置、
を有する。該対象を示す部分画像は、Ｘ線画像中で確定され、該部分画像は、空間的に離れて表示画像中に配置される。表示画像の寸法は、部分画像を有さない表示画像の部分が、Ｘ線画像の対応する部分より小さいようにされる。
【００１２】
対象のＸ線画像を取得するよう、Ｘ線源は、対象を貫通し、Ｘ線画像検出器に達する際に減衰されるＸ線照射を生成する。例えばＸ線画像検出器、Ｘ線画像増幅器、既知のデジタルＸ線画像検出器、又は適切なリーダを有するメモリフィルタを使用することは可能である。取得に続いて、結像された対象を示す部分画像は、Ｘ線画像中で確定される。該部分画像は、画像背景を有する範囲がＸ線画像におけるより小さいように、表示画像中に配置される。表示画像は、続いて、例えばフィルムプリンタ又はモニタである視覚化ユニットに進められ得る。しかしながら、特に患者のデータの電子管理を有する病院においては、表示画像はまた、それを保管する中央コンピュータへと移動され得る。Ｘ線装置のユーザが画像を見たい場合は、ユーザは、電子アーカイブから観察ステーション上に画像を読み込み、そこでプリントアウト又は観察し得る。
【００１３】
従属請求項は、本発明の展開を有する。
【００１４】
Ｘ線システムは既知であり、該システム中、Ｘ線照射によって照射される検出器面範囲の寸法は、通常は取得されるべき画像の寸法と同じ大きさであるのみであり、小さい形式の画像の場合には全体の検出器面は照射されない。デジタルＸ線検出器の特定の種類においては、照射された範囲は、複数の既知の物的効率によって検出器において格納されたままであり、最後に取得された小さな形式の画像は、続く大きな形式の画像において「二重画像」として見え得る。直接照射を有する範囲が照射されない検出器範囲に直接隣接するため、この効果は、マンモグラフィＸ線画像の場合において特に混乱を招く。この効果は、各画像が撮られる際に全体的な検出器面範囲がＸ線照射に対して露出されるべきであった場合には、混乱を招かない。しかしながら、これは、全てのＸ線画像が大きくなること、また、常に大きな形式のフィルムが印刷に使用されなければならないことにつながり、これは経済的観念から実行可能なものではない。かかる大きなＸ線画像をモニタ上に表示する際、乳房は非常に小さく示される。
【００１５】
本発明に従ったＸ線装置において、取得されたＸ線画像の画像寸法は、最低限にされる必要はもはやなく、マンモグラフィ画像の場合は特に、直接照射を有する画像範囲はいかなる寸法でもあり得る。それゆえに、Ｘ線画像検出器の照射された面範囲が乳房の寸法又は印刷に使用されるフィルムの寸法に適合される必要もない。その代わり、請求項３に記載される通り、Ｘ線装置は、Ｘ線画像検出器の例えば全体面範囲である同一面範囲が、画像が撮られる度に照射されるよう設定される。マーカーを使用する際、これは常に、同一の点に位置付けられる。このことによって、Ｘ線装置のユーザが大きな形式の画像と小さな形式の画像との間で事前に決定する必要がもはやないため、ユーザの時間を節約する。更には、「二重画像」によってもたらされる混乱を生じる効果は、照射されていないＸ線検出器の範囲が既にないため、非常に低減される。
【００１６】
部分画像が表示画像において互いに対して近く位置付けられている場合は、観察者にとっては不快であり得る。これは、請求項３記載の実施例を有して避けられ得る。個別の設定に対しては、観察者が最低限の間隔を定義付けることも可能である。
【００１７】
上述された目的はまた、請求項７記載の方法によって達成される。請求項８記載の展開は、部分画像を有さない表示画像の部分に対してが、Ｘ線画像の背景に対して一致されることを可能にする。
【００１８】
部分画像を確定するよう、例えば既知のセグメント化方法が活用され得る。マンモグラフィＸ線画像の場合、請求項９記載のセグメント化方法は、演算時間が殆ど掛からないため、特に迅速な結果を与える。この場合、直接照射を示す背景画像範囲は、Ｘ線画像において確定される。Ｘ線画像の残りの部分は続いて、部分画像を形成する。
【００１９】
画像処理装置は、適切な電子部品によって形成され得、その機能に関しては修正されえない。あるいは、プログラム可能な算術演算ユニットを有し得、該装置は、対応するコンピュータプログラムによってスタートアップに先立って作動状態におかれなければならない。かかるコンピュータプログラムは、装置において位置決めされた不揮発性及び交換不可のメモリにおいて格納され得る。しかしながら、あるいは、コンピュータプログラムはまた、フレキシブルディスク、ＣＤ、又はＥＰＲＯＭ等のコンピュータプログラムプロダクトを読み取り得るリーダを用いて画像処理装置へと読み込まれ得る。
【発明を実施するための最良の形態】
【００２０】
本発明は、図面に示される実施例を参照して更に説明されるが、本発明はそれに制限されない。
【００２１】
図１は、マンモグラフィＸ線画像を作るよう使用され得る本発明に従ったＸ線装置を概略的に図示する。検査される患者１３は、台（図示せず）の前方に立つ。該テーブルは、患者１３の乳房１３Ａがその上に載るよう高さを調整され得る。台の下方には、デジタルＸ線画像検出器１５がある。台及び検出器は、二者択一的に、適切に設計される検出器の筐体によってユニットを形成し得る。Ｘ線画像において詳細をよりよく見得るよう、圧迫板１６は、乳房上に押し付けられ、後者がその自然な形状と比較してＸ線画像検出器に対して平行に広がるようにする。圧迫板１６は、Ｘ線照射を吸収しない、又は極僅かにのみ吸収する材料で作られる。
【００２２】
準備のために、まず第１にＸ線電圧、電流、及び継続時間等の適用の特定なパラメータが作動ユニット１７を介して設定される。マーカーは続いて、乳房に対向する検出器又は台の側方上の隅部において、あるいは、特別なホルダにおいて置かれ得る。かかるマーカーは、図３中に示される。そこに示される記号は、例えば、左又は右の乳房が結像されているか、及び、どの方向でＸ線が乳房を通過したか等を表す。
【００２３】
Ｘ線画像を取得するよう、制御ユニット１０は続いて、Ｘ線画像検出器１５及びＸ線管１２を対応する作動状態へと切替える。Ｘ線管１２の作動に対して求められる高電圧を生成するＸ線生成器等の更なる構成部品は、明瞭性のために図示されない。円錐形の放射線の束１４の形状におけるＸ線は、Ｘ線管において生成される。Ｘ線管１２の直下に配置されるスクリーン（図示せず）によって、ビーム円錐１４の寸法及び外形は、調整され得、例えばＸ線画像検出器１５の寸法及び形状に適合され得る。照射が完了され次第、電子デジタルＸ線画像は、続いてデジタルＸ線画像検出器１５中に存在し、このＸ線画像は、（制御ユニット１０によって制御されて）Ｘ線画像検出器１５から画像処理装置１１の画像メモリに送られる。あるいは、Ｘ線検出器等のメモリフィルムシステムを使用することも可能である。メモリフィルムは続いて、画像が撮られ次第特別なリーダによって読み込まれ、Ｘ線画像は、この場合もまた電子形状において存在する。
【００２４】
上述された通り、ビーム円錐１４の外形は、スクリーンを用いて変化され得、Ｘ線検出器１５の全体面はもはや照射されない。このようにして、現在まで既知であるシステムの中には、Ｘ線画像の寸法が印刷に対して使用されるフィルムの寸法に適合されるものがある。殆どの画像に対して、図５中に示される小さな画像を取得することは十分である。マーカー５２の画像、乳房５１の画像、及び背景５３の画像は、前出の図５Ａ中において見られ得る。大きな画像が乳房の寸法によって取得されなければならない場合、スクリーンはそれに従って調整され、マーカーは、小さい画像の外側画像端部の代わりに、大きな画像の外側端部で位置付けられる。しかしながら、以前に実行された小さな画像を取得する動作において、Ｘ線画像検出器１５は、直接放射範囲において照射の直接線量に対して露出された。既知の物理的効果によって、これらの範囲は、図５Ｂ中に点線で図示される通り、続いて取得された大きな画像において見せられ得る。依然として、最後に小さな画像が撮られた数日後でも、大きな画像においてこれらの効果を見ることは可能であり得る。
【００２５】
図１中のＸ線装置においては、かかる効果は、ビーム円錐１４の外形が全ての画像に対して同一である（例えば、同一の検出器面範囲）ことにおいて避けられ得、Ｘ線画像検出器１５の同一の範囲は常に照射される。画像を小さな形式のフィルム上に印刷するよう、対応する小さな形式の表示画像は、続いて、上述された通りに作られる。
【００２６】
図４Ａは、図１中のＸ線装置を使用して取得され得るＸ線画像を概略的に示す。乳房４１の画像は、画像の右手側半分において見られ得、マーカー４２の画像は、上方左手側隅部において見られ得る。背景を形成する画像範囲４３の残りは、直接照射を示し、従って略黒色である。画像処理装置１１において、Ｘ線画像は、部分画像を確定するようセグメント化される。このためには、例えばAlan  C.  Bovik著、「Handbook  of  Image  and  Video  Processing」、ISBN:  0121197905中に記載された既知のセグメント化方法が活用され得る。かかるセグメント化方法は既知であり、更には、かかる方法は多種あるため、１つのみが一例として以下に説明される。
【００２７】
まず第一に、ヒストグラムが、Ｘ線画像から確定される。マンモグラフィＸ線画像の場合、対象又は背景のいずれかに対して割り当てられるべき画像値は、背景が直接照射によって形成され、且つ対応する画像値が通常が対象の画像値とは異なるため、ヒストグラムから特に容易に区別され得る。更には、直接照射を有する全てのピクセルは、通常は、略同一の画像値を有し、該値は、直接照射の量子雑音によって僅かにのみ変化し得る。図４Ａ中のＸ線画像においては、画像値又はこのようにして確定された値を有する全てのピクセルは、背景範囲４３に対して割り当てられる。更なる基準として、これらのピクセルは、直接照射の画像値も有する対象の個別のピクセルが背景範囲に対して割り当てられる状況を避けるよう、１つ又はそれ以上のコヒーレント範囲を形成しなければならない。
【００２８】
この方法に基づいて、図４Ａ中のＸ線画像は、３つの範囲、即ち、背景範囲４３、マーカー４２の画像の画像範囲、及び乳房４１の画像の画像範囲へとセグメント化される。２つの画像範囲又は部分画像は明確にされ得る。即ち、それらは画像値が直接照射を表さないピクセルを有する。第１の部分画像は、乳房４１の画像を有し、外形及び画像の右手側端部によって境界を定められる。第２の部分画像は、外形及び画像の上方端部によって境界を定められたマーカー４２の画像を有する。この方法はまた、マーカーがＸ線画像検出机上に斜めに置かれる際に使用され得、その画像が２つの画像端部によって境界を定められ、境界を定められた画像の隅部において直接照射を有する別個の画像範囲がある。Ｘ線画像は、続いて、２つの背景範囲及び２つの部分画像である４つの範囲へとセグメント化される。
【００２９】
これら２つの部分画像は、続いて動かされ得、マーカーを有する部分画像は、乳房を有する部分画像に対して可能な限り近くに押される。これを行うよう、例えば、マーカーを有する部分画像のピクセルは、マーカーを有する部分画像の少なくとも１つのピクセル及び乳房を有する部分画像の１つのピクセルが直接隣接するまで、段階的に右に動かされる。このマーカーを有する部分画像が画像の上方端部によって確定されない場合、追加的に上方向へ動かされ得る。全ての部分画像が位置決めされるよう十分に大きい矩形の範囲は、表示画像の端部として定義付けられる。続いて残りの外側範囲４６は除去され、図４Ｂ中の表示画像が得られる。図解及び比較のために、図４Ａ中のＸ線画像の本来の画像端部３３は、破線で図示される。任意で、部分画像はまた、矩形であり、その端部がＸ線画像の端部に対して平行であるよう、且つ対応してセグメント化された画像範囲が適合するよう丁度よい大きさであるよう設計され得る。これらの矩形の部分画像は続いて、互いに対して丁度触れるよう互いに対して近くに押される。上述された処理の段階は、画像処理装置によって自動的に実行される。
【００３０】
表示画像の観察者に対して、マーカーの画像及び乳房の画像が共に近すぎる場合は不快であり得る。これを避けるよう、例えば部分画像が離れなければならない最低距離を定義付けることが可能である。あるいは、各部分画像は、動かされる前に境界線によって拡大され得る。この境界線の幅は、境界線が観察者に対して可視であるよう選択される。即ち、ユーザによって任意で設定され得る。
【００３１】
表示画像の外のり寸法は、少なくとも２つの部分画像が重畳することなく表示され得るのに十分大きい。しかしながら、該外のり寸法は、例えば印刷に対して使用されるフィルムの寸法又はモニタの寸法に対してそれらを適合させるよう大きくされることも可能である。
【００３２】
図４Ｂ中の表示画面の背景４５を形成する可能性は多数ある。例えば、平均値は、Ｘ線画像の背景から確定され得る。この平均値は、図４Ｂ中の表示画面の全てのピクセルに対する画像値として使用され、Ｘ線画像の背景の濃淡値を略有する均質な背景を作る。他の可能性は、背景のピクセルが残りの背景範囲４５中にあることを前提に、該ピクセルをＸ線画像から表示画面へと映すことにある。他の代替案は考えられ得る。
【００３３】
表示画面の作成が完了次第、図１中では表示画面が任意でモニタＭへ、又はフィルムプリンタＰへと動かされ得る。
【００３４】
画像処理装置１１の複雑性に依存して、更なる画像処理アルゴリズムを実行することは可能である。マーカーが画像が撮られる前にＸ線画像検出器１５上に手動で位置付けられる場合、前出のマーカーが画像の端部に対して平行である長い側部を有して置かれないことが置き得る。修正のため、マーカー等を自動的に検出し、その画像を回転によって表示画面の端部に対して平行に整列させる検出アルゴリズムが活用される。また、対応するアルゴリズムを用いてマーカーにおいて有される情報を検出すること、及び、表示画面を例えば自動的に対応する電子画像アーカイブに動かすことが可能である。
【００３５】
画像処理装置１１は、プログラムされ得る算術演算ユニット（図示せず）を有する。Ｘ線装置のスイッチが入り次第、算術演算ユニットは、まず第一に対応するコンピュータプログラムを有して読み込まれなければならない。コンピュータプログラムは、読み取られるよう対応するリーダＦＤへと挿入されなければならないフレキシブルディスク上に格納される。あるいは、コンピュータプログラムはまた、画像処理装置１１中に位置決めされＸ線装置のスイッチが入れられるとすぐに自動的に読み取られる不揮発性メモリにおいて格納され得る。
【００３６】
図２は、本発明に従った画像処理装置の一実施例を有するデータ処理システムを図示する。かかるシステムは、例えば、医師がＸ線画像を取得された位置から離れて見たい場合、特には、大きな病院であり得るように医師がＸ線装置から空間的に離れた場所で働いている際に使用され得る。まず第一に、Ｘ線画像は、図１中に示されたＸ線装置を用いて取得されるが、Ｘ線装置は画像処理装置１１を有さない。その代わり、Ｘ線画像は、例えばデータネットワークをわたって図２中のデータ処理システムに送られ、データ入力２１を介して画像処理装置２０へと送られる。
【００３７】
画像処理装置２０は原則的に、図１中の画像処理装置１１と同一の機能を有する。入力Ｘ線画像において、対象を示す部分画像は、表示画像において確定及び配置される。表示画像は続いて、モニタＭ上に表示され得るか、プリンタＰを用いてフィルム上に印刷され得る。画像処理装置２０は、キーボードＥ１及びマウスＥ２を用いて作動される。図１に類似して、画像処理装置２０はまた、プログラムされ得るよう設計され得る。
【図面の簡単な説明】
【００３８】
【図１】本発明に従ったＸ線装置の一実施例を図示する。
【図２】本発明に従った画像処理装置を有するデータ処理システムを図示する。
【図３】２つのマーカーを図示する。
【図４Ａ】マンモグラフィＸ線画像を概略的に図示する。
【図４Ｂ】マンモグラフィＸ線画像を概略的に図示する。
【図５Ａ】マンモグラフィＸ線画像を概略的に図示する。
【図５Ｂ】Ｘ線画像検出器の画像における崩壊効果を図示する。
【図１】
2007516748.tif 000003
【図２】
2007516748.tif 000004
【図３】
2007516748.tif 000005
【図４Ａ】
2007516748.tif 000006
【図４Ｂ】
2007516748.tif 000007
【図５Ａ】
2007516748.tif 000008
【図５Ｂ】
2007516748.tif 000009
【国際調査報告】
2007516748.tif 000010
2007516748.tif 000011